(57)【要約】【課題】  清掃部材の清掃面の片減りを招かずに、清掃すべき面に凹部があってもその凹部の清掃もできる回転清掃具を得る。【解決手段】  モータ６によって回転される円板状の回転ホルダー２にブラシ或いはパッドからなる清掃部材３が周方向に沿って設けられている回転清掃具１であって、前記清掃部材３の清掃面３ａに凹部からなる非清掃部８を回転方向に間欠的に設け、前記各非清掃部８に隣接する各清掃部９の境界に前記各清掃部９のエッジ部分９Ｅをそれぞれ存在させた。【選択図】    図１
2009045215.tif 000002
【特許請求の範囲】
【請求項１】
モータによって回転される円板状の回転ホルダーにブラシ或いはパッドからなる清掃部材が周方向に沿って設けられている回転清掃具であって、前記清掃部材の清掃面には凹部からなる非清掃部が回転方向に間欠的に設けられ、前記各非清掃部に隣接する各清掃部の境界には前記各清掃部のエッジ部分がそれぞれ存在することを特徴とする回転清掃具。
【請求項２】
前記非清掃部と前記清掃部は周方向に交互に並んで放射方向に設けられていることを特徴とする請求項１に記載の回転清掃具。
【請求項３】
前記非清掃部と前記清掃部はいずれか一方がそれぞれ群として周方向に分布されていることを特徴とする請求項１に記載の回転清掃具。
【請求項４】
前記清掃部は前記回転ホルダーの径方向の少なくとも一部で周方向に連続していて、少なくとも外周側が周方向にジグザクになっており、前記ジグザクにより前記非清掃部と前記清掃部とが周方向に交互に並んでいることを特徴とする請求項１に記載の回転清掃具。
【発明の詳細な説明】
【技術分野】
【０００１】
本発明は、モータによって回転されて床面や壁面等を清掃する回転清掃具に関するものである。
【背景技術】
【０００２】
モータによって回転される円板状の回転ホルダーにブラシ或いはパッドからなる清掃部材が周方向に沿って設けられている回転清掃具は、主に床洗浄機やポリッシャーに多く使用されている。
【０００３】
図５，図６に示すように、従来この種の回転清掃具１は、モータによって回転される円板状の回転ホルダー２に、ブラシ或いはパッドからなる清掃部材３が径方向に所定の幅で周方向に沿って設けられた構造となっており、床面や壁面等の清掃すべき面に接する清掃部材３の清掃面３ａは、周方向全面に平面状に形成されていた。例えば、清掃部材３がブラシからなる場合には、回転ホルダー２に周方向に一様に植毛されて平面状をなしていた（例えば、特許文献１、２参照。）。
【０００４】
このような回転清掃具１を、例えば図７に示すように床洗浄機４に使用したとき、回転清掃具１は床洗浄機４の下部に、床面５に清掃部材３が対向するように取り付けられ、モータ６によって回転されて床面５を摺動して洗浄する。
【０００５】
床洗浄機４の下部に取り付けられる回転清掃具１は、一般には、その清掃部材３の清掃面３ａが床面５と平行に取り付けられている。そのため、床面５に傷等による凹部７が存在した場合、清掃部材３の清掃面３ａが平面状をなしているので、図８に示すように、洗浄時に清掃部材３の清掃面３ａが凹部７に入り込まず、凹部７の洗浄が清掃ができないといった問題があった。
【０００６】
このような問題を解消するために、図９に示すように、回転清掃具１を床面５に対して傾斜させて洗浄を行うことが知られている。このようにすることにより、清掃部材３の外周のエッジ部分３Ｅが、床面５の凹部７に入り込み、凹部７の洗浄を行うことができる。
【特許文献１】特開２００４−２３６７１６号公報  図３、図４
【特許文献２】特開２００４−２３７２３１号公報  図１
【発明の開示】
【発明が解決しようとする課題】
【０００７】
しかしながら、図９に示すように、回転清掃具１を床面５に対して傾斜させて洗浄を行っていると、清掃部材３の清掃面３ａが片減りしてしまい、回転清掃具１の寿命が短くなってしまうといった問題がある。また、清掃部材３の清掃面３ａの全面が床面５に当接せず、その一部だけが床面５に当接して洗浄するので、清掃部材３の清掃面３ａを有効に活用することができず、洗浄幅が狭く、洗浄効率が悪いといった問題がある。
【０００８】
本発明の目的は、清掃部材の清掃面の片減りを招かずに、清掃すべき面に凹部があってもその凹部の清掃もできる回転清掃具を提供することにある。
【課題を解決するための手段】
【０００９】
上記の目的を達成する本発明の構成を説明すると、下記のとおりである。
【００１０】
請求項１に記載の発明は、モータによって回転される円板状の回転ホルダーにブラシ或いはパッドからなる清掃部材が周方向に沿って設けられている回転清掃具であって、前記清掃部材の清掃面には凹部からなる非清掃部が回転方向に間欠的に設けられ、前記各非清掃部に隣接する各清掃部の境界には前記各清掃部のエッジ部分がそれぞれ存在することを特徴とする。
【００１１】
請求項２に記載の発明は、請求項１に記載の、前記非清掃部と前記清掃部は周方向に交互に並んで放射方向に設けられていることを特徴とする。
【００１２】
請求項３に記載の発明は、請求項１に記載の、前記非清掃部と前記清掃部はいずれか一方がそれぞれ群として周方向に分布されていることを特徴とする。
【００１３】
請求項４に記載の発明は、請求項１に記載の、前記清掃部は前記回転ホルダーの径方向の少なくとも一部で周方向に連続していて、少なくとも外周側が周方向にジグザクになっており、前記ジグザクにより前記非清掃部と前記清掃部とが周方向に交互に並んでいることを特徴とする。
【発明の効果】
【００１４】
請求項１に記載の回転清掃具によれば、清掃部材の清掃面には凹部からなる非清掃部が回転方向に間欠的に設けられ、各非清掃部に隣接する各清掃部の境界には各清掃部のエッジ部分がそれぞれ存在するので、清掃面にはエッジ部分が多く存在することになり、清掃すべき面に凹部があっても、回転時に各非清掃部に隣接する各清掃部の境界のエッジ部分がその凹部に入り込むので、凹部の清掃も確実に行うことができる。また、このような構造によれば、回転清掃具を清掃すべき面に対して傾斜させる必要がないので、清掃部材の清掃面を有効に活用することができ、洗浄効率を損なうことはない。
【００１５】
請求項２に記載の回転清掃具によれば、非清掃部と清掃部は周方向に交互に並んで放射方向に設けられているので、各清掃部の境界のエッジ部分の長さを長くすることができ、清掃すべき面に凹部があってもその凹部の清掃を効率よく行うことができる。
【００１６】
請求項３に記載の回転清掃具では、非清掃部と清掃部はいずれか一方がそれぞれ群として周方向に分布されているので、清掃面には多方向へ向いたエッジ部分が多く存在することになり、清掃すべき面にある多様な凹部に対応することができる。
【００１７】
請求項４に記載の回転清掃具では、前記清掃部は前記回転ホルダーの径方向の少なくとも一部で周方向に連続していて、少なくとも外周側が周方向にジグザクになっており、前記ジグザクにより前記非清掃部と前記清掃部とが周方向に交互に並んでいるので、前記ジグザクに並んだ前記清掃部のエッジ部分が清掃すべき面にある凹部に入り込み、凹部の清掃を確実に行うことができる。
【発明を実施するための最良の形態】
【００１８】
以下、本発明に係る回転清掃具を実施するための最良の形態を、図面に示す実施例により詳細に説明する。なお、前述した図５及び図６と対応する部分には、同一符号を付けて示している。各図に示す回転清掃具では、清掃部材がブラシの例で示している。
【００１９】
図１は本発明に係る回転清掃具１の第１実施例を示した底面図である。本例の回転清掃具１は、モータによって回転される円板状の回転ホルダー２に設けられた清掃部材３が、その清掃面３ａに凹部からなる非清掃部８が回転方向に間欠的に設けられ、各非清掃部８に隣接する各清掃部９の境界には各清掃部９のエッジ部分９Ｅがそれぞれ存在している。本例の場合、非清掃部６と清掃部７は周方向に交互に並んで放射方向に直線状に設けられている。エッジ部分７Ｅは各清掃部７の外周に形成されている。各清掃部７は、それぞれ群としてブラシが植毛されて形成されている。
【００２０】
このように構成された回転清掃具１は、清掃部材３の清掃面３ａの面を、床面或いは壁面等の清掃すべき面に平行させて設置して清掃を行う。この場合、清掃部材３の清掃面３ａには、凹部からなる非清掃部８が回転方向に間欠的に設けられ、各非清掃部８に隣接する各清掃部９の境界には各清掃部９のエッジ部分９Ｅがそれぞれ存在するので、清掃面３ａにはエッジ部分９Ｅが多く存在することになり、清掃すべき面に傷等による凹部があっても、回転時に各非清掃部８に隣接する各清掃部９の境界のエッジ部分９Ｅがその凹部に入り込むので、凹部の清掃も確実に行うことができる。また、このような構造によれば、回転清掃具１を清掃すべき面に対して傾斜させる必要がないので、清掃部材３の清掃面３ａを有効に活用することができ、洗浄効率を損なうことはない。
【００２１】
図２は図１に示す本発明に係る回転清掃具１の第１実施例の変形例を示したものである。本例の回転清掃具１は、非清掃部８と清掃部９はそれぞれ周方向に円弧状曲面で湾曲されている。このような構造にすると、各清掃部９の境界のエッジ部分９Ｅの長さを長くすることができる。
【００２２】
図３は本発明に係る回転清掃具１の第２実施例を示した底面図である。本例の回転清掃具１では、非清掃部８と清掃部９はいずれか一方（本例では、清掃部９）がそれぞれ円形の群として周方向に分布されている。
【００２３】
このように構成された回転清掃具１は、非清掃部８と清掃部９はいずれか一方（本例では、清掃部９）がそれぞれ群として周方向に分布されているので、清掃面３ａには多方向へ向いたエッジ部分９Ｅが多く存在することになり、清掃すべき面にある多様な凹部に対応することができる。
【００２４】
なお、本例では清掃部９がそれぞれ円形の群として周方向に分布されている例について示したが、図３で符号８を清掃部とし、符号９を非清掃部としてもよい。
【００２５】
図４は本発明に係る回転清掃具１の第３実施例を示した底面図である。本例の回転清掃具１では、清掃部９は回転ホルダー２の径方向の少なくとも一部（本例では、径方向の中心側）で周方向に連続していて、少なくとも外周側が周方向にジグザクになっている。この、ジグザクにより三角形状の非清掃部８と三角形状の清掃部９とが周方向に交互に並んでいる。
【００２６】
このように構成された回転清掃具１は、前記ジグザクに並んだ清掃部９のエッジ部分９Ｅが清掃すべき面にある凹部に入り込み、凹部の清掃を確実に行うことができる。
【００２７】
なお、図示しないが非清掃部８と清掃部９からなるジグザクの形状は、内周側のみに設けてもよく、或いは外周側と内周側との双方に設けてもよい。
【００２８】
上記各例では、清掃部材３がブラシの例でについて示したが、本発明はこれに限定されるものではなく、清掃部材３は不織布によるパッドでもよい。
【図面の簡単な説明】
【００２９】
【図１】本発明に係る回転清掃具の第１実施例を示した底面図である。
【図２】本発明に係る回転清掃具の第１実施例の変形例を示しす底面図である。
【図３】本発明に係る回転清掃具の第２実施例を示した底面図である。
【図４】本発明に係る回転清掃具の第３実施例を示した底面図である。
【図５】従来の回転清掃具を示した側面図である。
【図６】図５に示す回転清掃具の底面図である。
【図７】回転清掃具を床洗浄機４に使用した一例を示した側面図である。
【図８】清掃すべき面とその清掃すべき面を清掃している従来の回転清掃具の説明図である。
【図９】清掃すべき面とその清掃すべき面を清掃している従来の回転清掃具の説明図である。
【符号の説明】
【００３０】
１  回転清掃具
２  回転ホルダー
３  清掃部材
３ａ  清掃面
４  床洗浄機
５  床面
６  モータ
７  凹部
８  非清掃部
９  清掃部
９Ｅ  エッジ部分
【図１】
2009045215.tif 000003
【図２】
2009045215.tif 000004
【図３】
2009045215.tif 000005
【図４】
2009045215.tif 000006
【図５】
2009045215.tif 000007
【図６】
2009045215.tif 000008
【図７】
2009045215.tif 000009
【図８】
2009045215.tif 000010
【図９】
2009045215.tif 000011